(57)【特許請求の範囲】
【請求項１】
方法であって、
コンピューティング・システムが、メディアアイテムに対する要求をユーザから受け取ること、
前記コンピューティング・システムが、メディアアイテムおよび該メディアアイテムに関連付けられたメタデータにアクセスすることであって、前記メタデータは、前記メディアアイテムにおいて示された1つまたは複数のコンセプトおよび前記メディアアイテムに関連付けられた時間を識別し、前記1つまたは複数のコンセプトの各々は、ソーシャルネットワーキング・システムのソーシャルグラフのノードに関連付けられている、前記アクセスすること、
前記コンピューティング・システムが、前記1つまたは複数のコンセプトに関連する情報を前記ソーシャルグラフから取得すること、
前記コンピューティング・システムが、前記メタデータおよび前記ソーシャルグラフからの情報を用いて、前記メディアアイテムに関連付けられたソーシャル・コンテキストを特定すること、
前記コンピューティング・システムが、ユーザに対するソーシャル・コンテキストの関連性を特定すること、
前記コンピューティング・システムが、前記ソーシャル・コンテキストに関連付けられた1つまたは複数のメディアアイテムを選択すること、
前記コンピューティング・システムが、選択された１つまたは複数のメディアアイテムをユーザに対して表示するべく提供すること、を備える方法。
【請求項２】
前記１つまたは複数のコンセプトのうちの１つは、場所、建物、ロゴ、またはブランドである、請求項１に記載の方法。
【請求項３】
前記メタデータは、
前記ソーシャルネットワーキング・システムにより自動生成されたデータと、
前記ソーシャルネットワーキング・システムの１人または複数のユーザにより生成されたデータと、
前記メディアアイテムのソースにより生成されたデータとのうちの１つまたは複数を含む、請求項１に記載の方法。
【請求項４】
前記メディアアイテムは、カメラにより生成され、
前記メディアアイテムに関連付けられたメタデータは、前記カメラが前記メディアアイテムを生成した場所に関連付けられた情報を含む、請求項１に記載の方法。
【請求項５】
前記１つまたは複数のコンセプトに関連付けられた情報は、関係またはアクションに関し、
前記関係またはアクションは、前記ソーシャルグラフのエッジに関連付けられている、請求項１に記載の方法。
【請求項６】
前記メディアアイテムに関連付けられたソーシャル・コンテキストは、イベントである、請求項１に記載の方法。
【請求項７】
前記１つまたは複数のコンセプトに関連付けられた情報は、
前記イベントへの招待を受け入れたユーザに関する情報を含む、請求項６に記載の方法。
【請求項８】
前記1つまたは複数のコンセプトに関連付けられた情報は、
前記イベントへの招待を受け入れた第２のユーザに関する情報を含み、
前記ユーザは、前記ソーシャルグラフの第１のノードに関連付けられ、前記第２のユーザは、前記ソーシャルグラフの第２のノードに関連付けられ、前記第１のノードおよび第２のノードは、閾値の分離度内で前記ソーシャルグラフにおいて接続されている、請求項６に記載の方法。
【請求項９】
前記ユーザに対するソーシャル・コンテキストの関連性は、前記ソーシャルネットワーキング・システムのソーシャルグラフ内のユーザに関連付けられた情報に少なくとも部分的に基づく、請求項１に記載の方法。
【請求項１０】
ソフトウェアを備える１つまたは複数の非一時的なコンピュータ可読記憶媒体であって、前記ソフトウェアは、実行されるときに、
メディアアイテムに対する要求をユーザから受け取ること、
メディアアイテムおよび該メディアアイテムに関連付けられたメタデータにアクセスすることであって、前記メタデータは、前記メディアアイテムにおいて示された1つまたは複数のコンセプトおよび前記メディアアイテムに関連付けられた時間を識別し、前記1つまたは複数のコンセプトの各々は、ソーシャルネットワーキング・システムのソーシャルグラフのノードに関連付けられている、前記アクセスすること、
前記1つまたは複数のコンセプトに関連する情報を前記ソーシャルグラフから取得すること、
前記メタデータおよび前記ソーシャルグラフからの情報を用いて、前記メディアアイテムに関連付けられたソーシャル・コンテキストを特定すること、
ユーザに対するソーシャル・コンテキストの関連性を特定すること、
前記ソーシャル・コンテキストに関連付けられた1つまたは複数のメディアアイテムを選択すること、
選択された１つまたは複数のメディアアイテムをユーザに表示するべく提供することを実行するように動作可能である、１つまたは複数の非一時的なコンピュータ可読記憶媒体。
【請求項１１】
前記１つまたは複数のコンセプトのうちの１つは、場所、建物、ロゴ、またはブランドである、請求項１０に記載の１つまたは複数の非一時的なコンピュータ可読記憶媒体。
【請求項１２】
前記１つまたは複数のコンセプトに関連付けられた情報は、関係またはアクションに関し、
前記関係またはアクションは、前記ソーシャルグラフのエッジに関連付けられている、請求項１０に記載の１つまたは複数の非一時的なコンピュータ可読記憶媒体。
【請求項１３】
前記メディアアイテムに関連付けられたソーシャル・コンテキストは、イベントであり、
前記１つまたは複数のコンセプトに関連付けられた情報は、
前記イベントへの招待を受け入れたユーザに関する情報を含む、請求項１０に記載の１つまたは複数の非一時的なコンピュータ可読記憶媒体。
【請求項１４】
前記メディアアイテムに関連付けられたソーシャル・コンテキストは、イベントであり、
前記1つまたは複数のコンセプトに関連付けられた情報は、
前記イベントへの招待を受け入れた第２のユーザに関する情報を含み、
前記ユーザは、前記ソーシャルグラフの第１のノードに関連付けられ、前記第２のユーザは、前記ソーシャルグラフの第２のノードに関連付けられ、前記第１のノードおよび第２のノードは、閾値の分離度内で前記ソーシャルグラフにおいて接続されている、請求項１０に記載の１つまたは複数の非一時的なコンピュータ可読記憶媒体。
【請求項１５】
前記ユーザに対するソーシャル・コンテキストの関連性は、前記ソーシャルネットワーキング・システムのソーシャルグラフ内のユーザに関連付けられた情報に少なくとも部分的に基づいている、請求項１０に記載の１つまたは複数の非一時的なコンピュータ可読記憶媒体。
【請求項１６】
システムであって、
１つまたは複数のプロセッサと、
前記１つまたは複数のプロセッサに結合され、命令を含む１つまたは複数の非一時的なコンピュータ可読記憶媒体と、を備え、
前記プロセッサのうちの１つまたは複数によって実行された場合、前記命令は、前記プロセッサに、
メディアアイテムに対する要求をユーザから受け取ること、
メディアアイテムおよび該メディアアイテムに関連付けられたメタデータにアクセスすることであって、前記メタデータは、前記メディアアイテムにおいて示された1つまたは複数のコンセプトおよび前記メディアアイテムに関連付けられた時間を識別し、前記1つまたは複数のコンセプトの各々は、ソーシャルネットワーキング・システムのソーシャルグラフのノードに関連付けられている、前記アクセスすること、
前記1つまたは複数のコンセプトに関連する情報を前記ソーシャルグラフから取得すること、
前記メタデータおよび前記ソーシャルグラフからの情報を用いて、前記メディアアイテムに関連付けられたソーシャル・コンテキストを特定すること、
ユーザに対するソーシャル・コンテキストの関連性を特定すること、
前記ソーシャル・コンテキストに関連付けられた1つまたは複数のメディアアイテムを選択すること、
選択された1つまたは複数のメディアアイテムをユーザに表示するべく提供すること、を実行させるように動作可能である、システム。
【請求項１７】
前記１つまたは複数のコンセプトのうちの１つは、場所、建物、ロゴ、またはブランドである、請求項１６に記載のシステム。
【請求項１８】
前記１つまたは複数のコンセプトに関連付けられた情報は、関係またはアクションに関し、
前記関係またはアクションは、前記ソーシャルグラフのエッジに関連付けられている、請求項１６に記載のシステム。
【請求項１９】
前記メディアアイテムに関連付けられたソーシャル・コンテキストは、イベントであり、
前記１つまたは複数のコンセプトに関連付けられた情報は、
前記イベントへの招待を受け入れたユーザに関する情報を含む、請求項１６に記載のシステム。
【請求項２０】
前記メディアアイテムに関連付けられたソーシャル・コンテキストは、イベントであり、
前記1つまたは複数のコンセプトに関連付けられた情報は、
前記イベントへの招待を受け入れた第２のユーザに関する情報を含み、
前記ユーザは、前記ソーシャルグラフの第１のノードに関連付けられ、前記第２のユーザは、前記ソーシャルグラフの第２のノードに関連付けられ、前記第１のノードおよび第２のノードは、閾値の分離度内で前記ソーシャルグラフにおいて接続されている、請求項１６に記載のシステム。
【発明の詳細な説明】
【技術分野】
【０００１】
本開示は一般に、ソーシャルネットワーキング・システムにおける画像に関する。
【背景技術】
【０００２】
（ソーシャルネットワーキング・ウェブサイトを含むことができる）ソーシャルネットワーキング・システムは、そのソーシャルネットワーキング・システムのユーザ（人または組織など）がそのソーシャルネットワーキング・システムと対話すること、およびそのソーシャルネットワーキング・システムを通じて互いに対話することを可能にすることができる。ソーシャルネットワーキング・システムは、ユーザからの入力を用いて、そのユーザに関連付けられているユーザ・プロフィールを作成して、ソーシャルネットワーキング・システム内に格納することができる。ユーザ・プロフィールは、人口統計学的情報、通信チャネル情報、およびユーザの個人的な関心に関する情報を含むことができる。ソーシャルネットワーキング・システムは、ユーザからの入力を用いて、そのユーザと、ソーシャルネットワーキング・システムのその他のユーザとの関係のレコードを作成および格納すること、ならびにサービス（たとえば、ウォール・ポスト、写真共有、イベント編成、メッセージング、ゲーム、または広告）を提供して、ユーザ同士の間における社会的な交流を容易にすることも可能である。
【０００３】
ソーシャルネットワーキング・システムは、そのサービスに関連したコンテンツまたはメッセージを、１つまたは複数のネットワークを介して、ユーザのモバイルまたはその他のコンピューティング・デバイスへ送信することができる。ユーザは、自分のユーザ・プロフィールおよびソーシャルネットワーキング・システム内のその他のデータにアクセスするためにソフトウェア・アプリケーションを自分のモバイルまたはその他のコンピューティング・デバイス上にインストールすることもできる。ソーシャルネットワーキング・システムは、ユーザにつながっているその他のユーザの集約されたストーリのニュースフィードなど、ユーザに表示するためのコンテンツ・オブジェクトのパーソナライズされたセットを生成することができる。
【発明の概要】
【課題を解決するための手段】
【０００４】
特定の実施形態において、ソーシャルネットワーキング・システムは、ユーザに表示できる１つまたは複数の画像のソーシャル・コンテキストを特定することができる。画像のソーシャル・コンテキストは、ソーシャルネットワーキング・システムのソーシャルグラフにおける、画像に関連付けられたメタデータ、画像に関連付けられた情報、または両方の組合せに少なくとも一部基づいて特定することができる。ソーシャルネットワーキング・システムは、各画像のソーシャル・コンテキストと第１ユーザとの関連性を、ソーシャルグラフ内のユーザに関連した情報に少なくとも部分的に基づいて特定できる。ソーシャルネットワーキング・システムは、各画像のソーシャル・コンテキストとユーザとの関連性に少なくとも部分的に基づいて、ユーザに表示するために画像のうちの１つまたは複数を提供することができる。特定の実施形態においては、ソーシャルネットワーキング・システムは、１つまたは複数のソーシャル・コンテキストに関連付けられた１つまたは複数のディスプレイ・フィルタを提供して、これにより、ユーザが、特定のソーシャル・コンテキストに関連付けられた画像を表示するためにディスプレイ・フィルタを選択できるようにしている。
【図面の簡単な説明】
【０００５】
【図１】ソーシャルネットワーキング・システムに関連付けられている例示的なネットワーク環境を示す図。
【図２】例示的なソーシャルグラフを示す図。
【図３】ソーシャル・コンテキストに基づく画像フィルタリングの例示的な方法を示す図。
【図４】例示的なコンピュータ・システムを示す図。
【発明を実施するための形態】
【０００６】
図１は、ソーシャルネットワーキング・システムに関連付けられている例示的なネットワーク環境１００を示している。ネットワーク環境１００は、ネットワーク１１０によって互いにつながっているクライアント・システム１３０、ソーシャルネットワーキング・システム１６０、およびサードパーティ・システム１７０を含む。図１は、クライアント・システム１３０、ソーシャルネットワーキング・システム１６０、サードパーティ・システム１７０、およびネットワーク１１０の特定の構成を示しているが、本開示は、クライアント・システム１３０、ソーシャルネットワーキング・システム１６０、サードパーティ・システム１７０、およびネットワーク１１０の任意の適切な構成を想定している。限定ではなく、例として、クライアント・システム１３０、ソーシャルネットワーキング・システム１６０、およびサードパーティ・システム１７０のうちの複数は、ネットワーク１１０を迂回して、互いに直接つながることが可能である。別の例として、クライアント・システム１３０、ソーシャルネットワーキング・システム１６０、およびサードパーティ・システム１７０のうちの複数は、物理的にまたは論理的に、全体としてまたは部分的に互いに同一場所に配置されることが可能である。その上、図１は、特定の数のクライアント・システム１３０、ソーシャルネットワーキング・システム１６０、サードパーティ・システム１７０、およびネットワーク１１０を示しているが、本開示は、任意の適切な数のクライアント・システム１３０、ソーシャルネットワーキング・システム１６０、サードパーティ・システム１７０、およびネットワーク１１０を想定している。限定ではなく、例として、ネットワーク環境１００は、複数のクライアント・システム１３０、ソーシャルネットワーキング・システム１６０、サードパーティ・システム１７０、およびネットワーク１１０を含むことができる。
【０００７】
本開示は、任意の適切なネットワーク１１０を想定している。限定ではなく、例として、ネットワーク１１０の１つまたは複数の部分は、アド・ホック・ネットワーク、イントラネット、エクストラネット、仮想プライベート・ネットワーク（ＶＰＮ）、ローカル・エリア・ネットワーク（ＬＡＮ）、ワイヤレスＬＡＮ（ＷＬＡＮ）、ワイド・エリア・ネットワーク（ＷＡＮ）、ワイヤレスＷＡＮ（ＷＷＡＮ）、メトロポリタン・エリア・ネットワーク（ＭＡＮ）、インターネットの一部分、公衆交換電話網（ＰＳＴＮ）の一部分、セルラー電話ネットワーク、またはこれらのうちの複数の組合せを含むことができる。ネットワーク１１０は、１つまたは複数のネットワーク１１０を含むことができる。
【０００８】
リンク１５０は、クライアント・システム１３０、ソーシャルネットワーキング・システム１６０、およびサードパーティ・システム１７０を通信ネットワーク１１０に、または互いに接続することができる。本開示は、任意の適切なリンク１５０を想定している。特定の実施形態においては、１つまたは複数のリンク１５０は、１つもしくは複数の有線リンク（たとえば、デジタル・サブスクライバ・ライン（ＤＳＬ）もしくはデータ・オーバ・ケーブル・サービス・インタフェース仕様（ＤＯＣＳＩＳ）など）、ワイヤレス・リンク（たとえば、Ｗｉ−Ｆｉもしくはワールドワイド・インターオペラビリティー・フォー・マイクロウェーブ・アクセス（ＷｉＭＡＸ）など）、または光リンク（たとえば、同期光ネットワーク（ＳＯＮＥＴ）もしくは同期デジタル階層（ＳＤＨ）など）を含む。特定の実施形態においては、１つまたは複数のリンク１５０はそれぞれ、アド・ホック・ネットワーク、イントラネット、エクストラネット、ＶＰＮ、ＬＡＮ、ＷＬＡＮ、ＷＡＮ、ＷＷＡＮ、ＭＡＮ、インターネットの一部分、ＰＳＴＮの一部分、セルラー・テクノロジーベースのネットワーク、衛星通信テクノロジーベースのネットワーク、別のリンク１５０、または複数のそのようなリンク１５０の組合せを含む。リンク１５０は、ネットワーク環境１００の全体を通じて必ずしも同じである必要はない。１つまたは複数の第１のリンク１５０は、１つまたは複数の点において１つまたは複数の第２のリンク１５０とは異なることが可能である。
【０００９】
特定の実施形態においては、クライアント・システム１３０は、クライアント・システム１３０によって実装またはサポートされる適切な機能を実行することができる、ハードウェア、ソフトウェア、もしくは組み込みロジック・コンポーネント、または複数のそのようなコンポーネントの組合せを含む電子デバイスであることが可能である。限定ではなく、例として、クライアント・システム１３０は、デスクトップ・コンピュータ、ノートブック・コンピュータもしくはラップトップ・コンピュータ、ネットブック、タブレット・コンピュータなどのコンピュータ・システム、ｅブック・リーダ、ＧＰＳデバイス、カメラ、携帯情報端末（ＰＤＡ）、ハンドヘルド電子デバイス、セルラー電話、スマートフォン、その他の適切な電子デバイス、またはそれらの任意の適切な組合せを含むことができる。本開示は、任意の適切なクライアント・システム１３０を想定している。クライアント・システム１３０は、クライアント・システム１３０のネットワーク・ユーザがネットワーク１１０にアクセスすることを可能にすることができる。クライアント・システム１３０は、自分のユーザがその他のクライアント・システム１３０のその他のユーザと通信することを可能にすることができる。
【００１０】
特定の実施形態においては、クライアント１３０は、ＭＩＣＲＯＳＯＦＴ  ＩＮＴＥＲＮＥＴ  ＥＸＰＬＯＲＥＲ、ＧＯＯＧＬＥ  ＣＨＲＯＭＥ、またはＭＯＺＩＬＬＡ  ＦＩＲＥＦＯＸなどのウェブ・ブラウザ１３２を含むことができ、１つまたは複数のアドオン、プラグイン、またはＴＯＯＬＢＡＲもしくはＹＡＨＯＯ  ＴＯＯＬＢＡＲなどのその他の拡張を有することができる。クライアント・システム１３０のユーザは、ウェブ・ブラウザ１３２を特定のサーバ（サーバ１６２、またはサードパーティ・システム１７０に関連付けられているサーバなど）へ導くユニフォーム・リソース・ロケータ（ＵＲＬ）またはその他のアドレスを入力することができ、ウェブ・ブラウザ１３２は、ハイパー・テキスト転送プロトコル（ＨＴＴＰ）要求を生成して、そのＨＴＴＰ要求をサーバに通信することができる。サーバは、そのＨＴＴＰ要求を受け入れて、そのＨＴＴＰ要求に応答して１つまたは複数のハイパー・テキスト・マークアップ言語（ＨＴＭＬ）ファイルをクライアント・システム１３０に通信することができる。クライアント・システム１３０は、ユーザに提示するためにサーバからのＨＴＭＬファイルに基づいてウェブページをレンダリングすることができる。本開示は、任意の適切なウェブページ・ファイルを想定している。限定ではなく、例として、ウェブページは、特定のニーズに従って、ＨＴＭＬファイル、拡張可能ハイパー・テキスト・マークアップ言語（ＸＨＴＭＬ）ファイル、または拡張可能マークアップ言語（ＸＭＬ）ファイルからレンダリングすることができる。そのようなページは、限定ではなく、例として、ＪＡＶＡＳＣＲＩＰＴ（登録商標）、ＪＡＶＡ（登録商標）、ＭＩＣＲＯＳＯＦＴ  ＳＩＬＶＥＲＬＩＧＨＴで書かれたスクリプトなどのスクリプト、ＡＪＡＸ（Ａｓｙｎｃｈｒｏｎｏｕｓ  ＪＡＶＡＳＣＲＩＰＴ（登録商標）  ａｎｄ  ＸＭＬ）などのマークアップ言語とスクリプトの組合せなどを実行することもできる。本明細書においては、ウェブページへの参照は、適切な場合には、（そのウェブページをレンダリングするためにブラウザが使用することができる）１つまたは複数の対応するウェブページ・ファイルを含み、その逆もまた同様である。
【００１１】
特定の実施形態においては、ソーシャルネットワーキング・システム１６０は、オンライン・ソーシャル・ネットワークをホストすることができるネットワークアドレス可能なコンピューティング・システムであることが可能である。ソーシャルネットワーキング・システム１６０は、たとえば、ユーザプロフィール・データ、コンセプトプロフィール・データ、ソーシャルグラフ情報、またはオンライン・ソーシャル・ネットワークに関連したその他の適切なデータなどのソーシャルネットワーキング・データを生成すること、格納すること、受け取ること、および送信することが可能である。ソーシャルネットワーキング・システム１６０は、ネットワーク環境１００のその他のコンポーネントによって直接、またはネットワーク１１０を介してアクセスされることが可能である。特定の実施形態においては、ソーシャルネットワーキング・システム１６０は、１つまたは複数のサーバ１６２を含むことができる。それぞれのサーバ１６２は、単一のサーバ、または複数のコンピュータもしくは複数のデータセンターにわたる分散サーバであることが可能である。サーバ１６２は、限定ではなく、例として、ウェブ・サーバ、ニュース・サーバ、メール・サーバ、メッセージ・サーバ、広告サーバ、ファイル・サーバ、アプリケーション・サーバ、Ｅｘｃｈａｎｇｅサーバ、データベース・サーバ、プロキシ・サーバ、本明細書において記述されている機能もしくはプロセスを実行するのに適している別のサーバ、またはそれらの任意の組合せなど、さまざまなタイプのものであることが可能である。特定の実施形態においては、それぞれのサーバ１６２は、サーバ１６２によって実装またはサポートされる適切な機能を実行するためのハードウェア、ソフトウェア、もしくは組み込みロジック・コンポーネント、または複数のそのようなコンポーネントの組合せを含むことができる。特定の実施形態においては、ソーシャルネットワーキング・システム１６４は、１つまたは複数のデータ・ストア１６４を含むことができる。データ・ストア１６４は、さまざまなタイプの情報を格納するために使用されることが可能である。特定の実施形態においては、データ・ストア１６４内に格納されている情報は、特定のデータ構造に従って編成されることが可能である。特定の実施形態においては、それぞれのデータ・ストア１６４は、リレーショナルデータベース、カラム型（columnar）データベース、相関（correlation）データベース、または他の適切なデータベースであることが可能である。本明細書は、特定のデータベースを記載または例示していないが、本明細書は、任意の適切なデータベースを想定している。特定の実施形態は、クライアント・システム１３０、ソーシャルネットワーキング・システム１６０、またはサードパーティ・システム１７０が、データ・ストア１６４内に格納されている情報を管理すること、取り出すこと、修正すること、追加すること、または削除することを可能にするインタフェースを提供することができる。
【００１２】
特定の実施形態においては、ソーシャルネットワーキング・システム１６０は、１つまたは複数のソーシャルグラフを１つまたは複数のデータ・ストア１６４内に格納することができる。特定の実施形態においては、ソーシャルグラフは、複数のノード（複数のユーザ・ノード（それぞれが、特定のユーザに対応している）、または複数のコンセプト・ノード（それぞれが、特定のコンセプトに対応している）を含むことができる）と、ノード同士をつなげる複数のエッジとを含むことができる。ソーシャルネットワーキング・システム１６０は、オンライン・ソーシャル・ネットワークのユーザに、その他のユーザと通信および対話する能力を提供することができる。特定の実施形態においては、ユーザたちは、ソーシャルネットワーキング・システム１６０を介してオンライン・ソーシャル・ネットワークに参加し、次いで、自分たちがつながりたいと望むソーシャルネットワーキング・システム１６０のその他の複数のユーザにつながり（すなわち、関係）を付加することができる。本明細書においては、「友達」という用語は、ユーザがソーシャルネットワーキング・システム１６０を介して、つながり、関連付け、または関係を形成しているソーシャルネットワーキング・システム１６０のその他の任意のユーザを指すことができる。
【００１３】
特定の実施形態においては、ソーシャルネットワーキング・システム１６０は、ソーシャルネットワーキング・システム１６０によってサポートされるさまざまなタイプのアイテムまたはオブジェクトに関してアクションを取る能力をユーザに提供することができる。限定ではなく、例として、それらのアイテムおよびオブジェクトは、ソーシャルネットワーキング・システム１６０のユーザが属することが可能であるグループもしくはソーシャル・ネットワーク、ユーザが関心を抱く可能性があるイベントもしくはカレンダー・エントリー、ユーザが使用することができるコンピュータベースのアプリケーション、ユーザがサービスを介してアイテムを購入もしくは販売することを可能にするトランザクション、ユーザが実行することができる広告との対話、またはその他の適切なアイテムもしくはオブジェクトを含むことができる。ユーザは、ソーシャルネットワーキング・システム１６０において、またはサードパーティ・システム１７０の外部システム（ソーシャルネットワーキング・システム１６０とは別個のものであって、ネットワーク１１０を介してソーシャルネットワーキング・システム１６０に結合されている）によって表されることが可能である任意のものと対話することができる。
【００１４】
特定の実施形態においては、ソーシャルネットワーキング・システム１６０は、さまざまなエンティティ同士をリンクできることが可能である。限定ではなく、例として、ソーシャルネットワーキング・システム１６０は、ユーザたちが互いに対話すること、ならびにサードパーティ・システム１７０もしくはその他のエンティティからのコンテンツを受け取ることを可能にすることができ、またはユーザたちがアプリケーション・プログラミング・インタフェース（ＡＰＩ）もしくはその他の通信チャネルを通じてこれらのエンティティと対話することを可能にすることができる。
【００１５】
特定の実施形態においては、サードパーティ・システム１７０は、１つもしくは複数のタイプのサーバ、１つもしくは複数のデータ・ストア、１つもしくは複数のインタフェース（ＡＰＩを含むが、それには限定されない）、１つもしくは複数のウェブ・サービス、１つもしくは複数のコンテンツ・ソース、１つもしくは複数のネットワーク、または（たとえば、サーバが通信することができる）その他の任意の適切なコンポーネントを含むことができる。サードパーティ・システム１７０は、ソーシャルネットワーキング・システム１６０を運営しているエンティティとは異なるエンティティによって運営されることが可能である。しかしながら、特定の実施形態においては、ソーシャルネットワーキング・システム１６０およびサードパーティ・システム１７０は、ソーシャルネットワーキング・システム１６０またはサードパーティ・システム１７０のユーザにソーシャルネットワーキング・サービスを提供するために互いに連携して機能することができる。この意味において、ソーシャルネットワーキング・システム１６０は、サードパーティ・システム１７０などのその他のシステムがインターネットを介してソーシャルネットワーキング・サービスおよび機能をユーザに提供するために使用することができるプラットフォーム、またはバックボーンを提供することができる。
【００１６】
特定の実施形態においては、サードパーティ・システム１７０は、サードパーティ・コンテンツ・オブジェクト・プロバイダを含むことができる。サードパーティ・コンテンツ・オブジェクト・プロバイダは、コンテンツ・オブジェクトの１つまたは複数のソースを含むことができ、それらのソースは、クライアント・システム１３０に通信されることが可能である。限定ではなく、例として、コンテンツ・オブジェクトは、ユーザにとって関心がある物またはアクティビティに関する情報、たとえば、映画の開始時刻、映画のレビュー、レストランのレビュー、レストランのメニュー、製品の情報およびレビュー、またはその他の適切な情報などを含むことができる。限定ではなく、別の例として、コンテンツ・オブジェクトは、インセンティブ・コンテンツ・オブジェクト、たとえば、クーポン、ディスカウント・チケット、ギフト券、またはその他の適切なインセンティブ・オブジェクトを含むことができる。
【００１７】
特定の実施形態においては、ソーシャルネットワーキング・システム１６０はまた、ユーザによって生成されたコンテンツ・オブジェクトを含み、それらのコンテンツ・オブジェクトは、ソーシャルネットワーキング・システム１６０とのユーザの対話を高めることができる。ユーザによって生成されたコンテンツは、ユーザがソーシャルネットワーキング・システム１６０に付加、アップロード、送信、または「ポスト」することができる任意のものを含むことができる。限定ではなく、例として、ユーザは、クライアント・システム１３０からソーシャルネットワーキング・システム１６０へポストを通信する。ポストは、ステータス更新もしくはその他のテキスト・データ、ロケーション情報、写真、ビデオ、リンク、音楽、またはその他の類似したデータもしくはメディアなどのデータを含むことができる。コンテンツは、ニュースフィードまたはストリームなどの「通信チャネル」を通じてサードパーティによってソーシャルネットワーキング・システム１６０に付加されることも可能である。
【００１８】
特定の実施形態においては、ソーシャルネットワーキング・システム１６０は、さまざまなサーバ、サブシステム、プログラム、モジュール、ログ、およびデータ・ストアを含むことができる。特定の実施形態においては、ソーシャルネットワーキング・システム１６０は、ウェブ・サーバ、アクション・ロガー、ＡＰＩ要求サーバ、関連性およびランキング・エンジン、コンテンツ・オブジェクト分類子、通知コントローラ、アクション・ログ、サードパーティ・コンテンツ・オブジェクト露出ログ、推測モジュール、認可／プライバシー・サーバ、検索モジュール、広告ターゲティング・モジュール、ユーザインタフェース・モジュール、ユーザプロフィール・ストア、つながりストア、サードパーティ・コンテンツ・ストア、またはロケーション・ストアのうちの１つまたは複数を含むことができる。ソーシャルネットワーキング・システム１６０は、適切なコンポーネント、たとえば、ネットワーク・インタフェース、セキュリティー・メカニズム、ロード・バランサ、フェイルオーバ・サーバ、管理およびネットワークオペレーション・コンソール、その他の適切なコンポーネント、またはそれらの任意の適切な組合せを含むこともできる。特定の実施形態においては、ソーシャルネットワーキング・システム１６０は、ユーザ・プロフィールを格納するための１つまたは複数のユーザプロフィール・ストアを含むことができる。ユーザ・プロフィールは、たとえば、経歴情報、人口統計学的情報、挙動情報、ソーシャルな情報、またはその他のタイプの記述的情報、たとえば、職業経験、学歴、趣味もしくは好み、関心、親密度、またはロケーションを含むことができる。関心情報は、１つまたは複数のカテゴリに関連した関心を含むことができる。カテゴリは、一般的または具体的であることが可能である。限定ではなく、例として、ユーザが、あるブランドの靴に関する記事に対して「いいね！」を表明した場合には、カテゴリは、そのブランド、または「靴」もしくは「衣類」という一般的なカテゴリであることが可能である。ユーザに関するつながり情報を格納するために、つながりストアが使用されることが可能である。つながり情報は、類似のもしくは共通の職業経験、グループ・メンバーシップ、趣味、学歴を有しているか、または何らかの形で関連しているか、もしくは共通の属性を共有しているユーザ同士を示すことができる。つながり情報は、さまざまなユーザおよびコンテンツ（内部および外部の両方）の間におけるユーザ定義のつながりを含むこともできる。ネットワーク１１０を介してソーシャルネットワーキング・システム１６０を１つもしくは複数のクライアント・システム１３０または１つもしくは複数のサードパーティ・システム１７０にリンクさせるために、ウェブ・サーバが使用されることが可能である。ウェブ・サーバは、ソーシャルネットワーキング・システム１６０と、１つまたは複数のクライアント・システム１３０との間においてメッセージを受け取って回送するためにメール・サーバまたはその他のメッセージング機能を含むことができる。ＡＰＩ要求サーバは、サードパーティ・システム１７０が、１つまたは複数のＡＰＩを呼び出すことによってソーシャルネットワーキング・システム１６０からの情報にアクセスすることを可能にすることができる。ソーシャルネットワーキング・システム１６０の上のまたは外のユーザのアクションに関してウェブ・サーバから通信を受け取るために、アクション・ロガーが使用されることが可能である。アクション・ログとともに、サードパーティコンテンツ・オブジェクトへのユーザの露出についてのサードパーティコンテンツオブジェクト・ログが保持されることが可能である。通知コントローラは、コンテンツ・オブジェクトに関する情報をクライアント・システム１３０に提供することができる。情報は、通知としてクライアント・システム１３０へ押し出されることが可能であり、または情報は、クライアント・システム１３０から受け取られた要求に応答してクライアント・システム１３０から引き出されることが可能である。ソーシャルネットワーキング・システム１６０のユーザの１つまたは複数のプライバシー設定を実施するために、認可サーバが使用されることが可能である。ユーザのプライバシー設定は、ユーザに関連付けられている特定の情報がどのように共有されることが可能であるかを特定する。認可サーバは、ユーザが、たとえば、適切なプライバシー設定を設定することなどによって、自分のアクションをソーシャルネットワーキング・システム１６０によって記録されること、またはその他のシステム（たとえば、サードパーティ・システム１７０）と共有されることのオプトインまたはオプトアウトを行うことを可能にすることができる。サードパーティ・システム１７０などのサードパーティから受け取られたコンテンツ・オブジェクトを格納するために、サードパーティコンテンツオブジェクト・ストアが使用されることが可能である。ユーザに関連付けられているクライアント・システム１３０から受け取られたロケーション情報を格納するために、ロケーション・ストアが使用されることが可能である。広告価格設定モジュールが、ソーシャルな情報、現在時刻、ロケーション情報、またはその他の適切な情報を組み合わせて、関連がある広告を、通知の形式でユーザに提供することができる。
【００１９】
図２は、例示的なソーシャルグラフ２００を示している。特定の実施形態においては、ソーシャルネットワーキング・システム１６０は、１つまたは複数のソーシャルグラフ２００を１つまたは複数のデータ・ストア内に格納することができる。特定の実施形態においては、ソーシャルグラフ２００は、複数のノード（複数のユーザ・ノード２０２、または複数のコンセプト・ノード２０４を含むことができる）と、ノード同士をつなげる複数のエッジ２０６とを含むことができる。図２において示されている例示的なソーシャルグラフ２００は、教示上の目的から、２次元のビジュアル・マップ表示で示されている。特定の実施形態においては、ソーシャルネットワーキング・システム１６０、クライアント・システム１３０、またはサードパーティ・システム１７０は、適切なアプリケーションに関してソーシャルグラフ２００および関連したソーシャルグラフ情報にアクセスすることができる。ソーシャルグラフ２００のノードおよびエッジは、データ・オブジェクトとして、たとえば（ソーシャルグラフ・データベースなどの）データ・ストア内に格納されることが可能である。そのようなデータ・ストアは、ソーシャルグラフ２００のノードまたはエッジの１つまたは複数の検索可能なまたはクエリ可能なインデックスを含むことができる。
【００２０】
特定の実施形態においては、ユーザ・ノード２０２は、ソーシャルネットワーキング・システム１６０のユーザに対応することができる。限定ではなく、例として、ユーザは、ソーシャルネットワーキング・システム１６０と、またはソーシャルネットワーキング・システム１６０を介して対話または通信する個人（人間のユーザ）、エンティティ（たとえば、企業、ビジネス、もしくはサードパーティ・アプリケーション）、または（たとえば、個人もしくはエンティティの）グループであることが可能である。特定の実施形態においては、あるユーザがソーシャルネットワーキング・システム１６０とのアカウントに登録した場合には、ソーシャルネットワーキング・システム１６０は、そのユーザに対応するユーザ・ノード２０２を作成し、そのユーザ・ノード２０２を１つまたは複数のデータ・ストア内に格納することができる。本明細書において記述されているユーザおよびユーザ・ノード２０２は、適切な場合には、登録されているユーザ、および登録されているユーザに関連付けられているユーザ・ノード２０２を指すことができる。追加として、または代替として、本明細書において記述されているユーザおよびユーザ・ノード２０２は、適切な場合には、ソーシャルネットワーキング・システム１６０に登録されていないユーザを指すことができる。特定の実施形態においては、ユーザ・ノード２０２は、ユーザによって提供された情報、またはソーシャルネットワーキング・システム１６０を含むさまざまなシステムによって収集された情報に関連付けられることが可能である。限定ではなく、例として、ユーザは、自分の名前、プロフィール画像、連絡先情報、生年月日、性別、婚姻状況、家族状況、勤務先、学歴、好み、関心、またはその他の人口統計学的情報を提供することができる。特定の実施形態においては、ユーザ・ノード２０２は、ユーザに関連付けられている情報に対応する１つまたは複数のデータ・オブジェクトに関連付けられることが可能である。特定の実施形態においては、ユーザ・ノード２０２は、１つまたは複数のウェブページに対応することができる。
【００２１】
特定の実施形態においては、コンセプト・ノード２０４は、コンセプトに対応することができる。限定ではなく、例として、コンセプトは、場所（たとえば、映画館、レストラン、ランドマーク、もしくは都市など）、ウェブサイト（たとえば、ソーシャルネットワーク・システム１６０に関連付けられているウェブサイト、もしくはウェブアプリケーション・サーバに関連付けられているサードパーティ・ウェブサイトなど）、エンティティ（たとえば、人、企業、グループ、スポーツ・チーム、もしくは有名人など）、ソーシャルネットワーキング・システム１６０内に、もしくはウェブアプリケーション・サーバなどの外部サーバ上に配置されることが可能であるリソース（たとえば、オーディオ・ファイル、ビデオ・ファイル、デジタル写真、テキスト・ファイル、構造化されたドキュメント、もしくはアプリケーションなど）、物的もしくは知的財産（たとえば、彫塑、絵画、映画、ゲーム、曲、アイディア、写真、もしくは執筆作品など）、ゲーム、アクティビティ、アイディアもしくは理論、別の適切なコンセプト、または複数のそのようなコンセプトに対応することができる。コンセプト・ノード２０４は、ユーザによって提供されたコンセプトの情報、またはソーシャルネットワーキング・システム１６０を含むさまざまなシステムによって収集された情報に関連付けられることが可能である。限定ではなく、例として、コンセプトの情報は、名前もしくはタイトル、１つもしくは複数のイメージ（たとえば、本の表紙のイメージ）、ロケーション（たとえば、住所もしくは地理的ロケーション）、（ＵＲＬに関連付けられることが可能である）ウェブサイト、連絡先情報（たとえば、電話番号もしくはＥメール・アドレス）、その他の適切なコンセプト情報、またはそのような情報の任意の適切な組合せを含むことができる。特定の実施形態においては、コンセプト・ノード２０４は、コンセプト・ノード２０４に関連付けられている情報に対応する１つまたは複数のデータ・オブジェクトに関連付けられることが可能である。特定の実施形態においては、コンセプト・ノード２０４は、１つまたは複数のウェブページに対応することができる。
【００２２】
特定の実施形態においては、ソーシャルグラフ２００内のノードは、ウェブページ（「プロフィール・ページ」と呼ばれる場合もある）を表すこと、またはウェブページによって表されることが可能である。プロフィール・ページは、ソーシャルネットワーキング・システム１６０によってホストされること、またはソーシャルネットワーキング・システム１６０にとってアクセス可能であることが可能である。プロフィール・ページは、サードパーティ・サーバ１７０に関連付けられているサードパーティ・ウェブサイト上にホストされることも可能である。限定ではなく、例として、特定の外部ウェブページに対応するプロフィール・ページは、その特定の外部ウェブページであることが可能であり、そのプロフィール・ページは、特定のコンセプト・ノード２０４に対応することができる。プロフィール・ページは、その他のユーザのうちのすべてまたは選択されたサブセットによって閲覧できることが可能である。限定ではなく、例として、ユーザ・ノード２０２は、対応するユーザプロフィール・ページを有することができ、そのユーザプロフィール・ページにおいては、対応するユーザが、コンテンツを付加すること、言明を行うこと、またはその他の形で自分自身を表現することが可能である。限定ではなく、別の例として、コンセプト・ノード２０４は、対応するコンセプトプロフィール・ページを有することができ、そのコンセプトプロフィール・ページにおいては、１人または複数のユーザが、特にコンセプト・ノード２０４に対応するコンセプトに関連して、コンテンツを付加すること、言明を行うこと、または自分自身を表現することが可能である。
【００２３】
特定の実施形態においては、コンセプト・ノード２０４は、サードパーティ・システム１７０によってホストされているサードパーティ・ウェブページまたはリソースを表すことができる。サードパーティ・ウェブページまたはリソースは、数ある要素の中でも、コンテンツ、選択可能なもしくはその他のアイコン、または、アクションもしくはアクティビティを表す（たとえば、ＪＡＶＡＳＣＲＩＰＴ（登録商標）、ＡＪＡＸ、もしくはＰＨＰコードで実装されることが可能である）その他の対話可能なオブジェクトを含むことができる。限定ではなく、例として、サードパーティ・ウェブページは、「いいね！」、「チェックイン」、「食べる」、「推奨する」、または別の適切なアクションもしくはアクティビティなどの選択可能なアイコンを含むことができる。サードパーティ・ウェブページを閲覧しているユーザは、それらのアイコンのうちの１つ（たとえば、「食べる」）を選択することによってアクションを実行して、クライアント・システム１３０に、そのユーザのアクションを示すメッセージをソーシャルネットワーキング・システム１６０へ送信させることができる。そのメッセージに応答して、ソーシャルネットワーキング・システム１６０は、ユーザに対応するユーザ・ノード２０２と、サードパーティ・ウェブページまたはリソースに対応するコンセプト・ノード２０４との間においてエッジ（たとえば、「食べる」エッジ）を作成して、エッジ２０６を１つまたは複数のデータ・ストア内に格納することができる。
【００２４】
特定の実施形態においては、ソーシャルグラフ２００内の１対のノードが、１つまたは複数のエッジ２０６によって互いにつながることが可能である。１対のノードをつなげるエッジ２０６は、それらの１対のノードの間における関係を表すことができる。特定の実施形態においては、エッジ２０６は、１対のノードの間における関係に対応する１つまたは複数のデータ・オブジェクトまたは属性を含むことまたは表すことが可能である。限定ではなく、例として、第１のユーザは、第２のユーザが第１のユーザの「友達」であるということを示すことができる。この表示に応答して、ソーシャルネットワーキング・システム１６０は、「友達要求」を第２のユーザに送信することができる。第２のユーザがその「友達要求」を承認した場合には、ソーシャルネットワーキング・システム１６０は、ソーシャルグラフ２００内で第１のユーザのユーザ・ノード２０２を第２のユーザのユーザ・ノード２０２につなげるエッジ２０６を作成して、エッジ２０６をソーシャルグラフ情報としてデータ・ストア２４のうちの１つまたは複数の中に格納することができる。図２の例においては、ソーシャルグラフ２００は、ユーザ「Ａ」のユーザ・ノード２０２と、ユーザ「Ｂ」のユーザ・ノード２０２との間における友達関係を示すエッジ２０６と、ユーザ「Ｃ」のユーザ・ノード２０２と、ユーザ「Ｂ」のユーザ・ノード２０２との間における友達関係を示すエッジとを含む。本開示は、特定のユーザ・ノード２０２同士をつなげる特定の属性を伴う特定のエッジ２０６を記述している、または示しているが、本開示は、ユーザ・ノード２０２同士をつなげる任意の適切な属性を伴う任意の適切なエッジ２０６を想定している。限定ではなく、例として、エッジ２０６は、友達関係、家族関係、ビジネスもしくは雇用関係、ファン関係、フォロワー関係、ビジター関係、サブスクライバ関係、上下関係、互恵的関係、非互恵的関係、別の適切なタイプの関係、または複数のそのような関係を表すことができる。その上、本開示は一般に、ノード同士をつながっているものとして記述しているが、本開示はまた、ユーザ同士またはコンセプト同士をつながっているものとして記述している。本明細書においては、つながっているユーザ同士またはコンセプト同士への言及は、適切な場合には、１つまたは複数のエッジ２０６によってソーシャルグラフ２００内でつながっているそれらのユーザ同士またはコンセプト同士に対応するノード同士を指すことができる。
【００２５】
特定の実施形態においては、ユーザ・ノード２０２とコンセプト・ノード２０４との間におけるエッジ２０６は、ユーザ・ノード２０２に関連付けられているユーザによって、コンセプト・ノード２０４に関連付けられているコンセプトに対して実行された特定のアクションまたはアクティビティを表すことができる。限定ではなく、例として、図２において示されているように、ユーザは、コンセプトに対して「いいね！を表明すること」、「通うこと」、「プレイすること」、「聴くこと」、「料理すること」、「勤務すること」、または「観ること」を行った可能性があり、それらのそれぞれは、エッジタイプまたはサブタイプに対応することができる。コンセプト・ノード２０４に対応するコンセプトプロフィール・ページは、たとえば、選択可能な「チェックイン」アイコン（たとえば、クリック可能な「チェックイン」アイコンなど）、または選択可能な「お気に入りに追加」アイコンを含むことができる。同様に、ユーザがこれらのアイコンをクリックした後に、ソーシャルネットワーキング・システム１６０は、それぞれのアクションに対応するユーザのアクションに応答して「お気に入り」エッジまたは「チェックイン」エッジを作成することができる。限定ではなく、別の例として、あるユーザ（ユーザ「Ｃ」）が、特定のアプリケーション（オンライン音楽アプリケーションであるＳＰＯＴＩＦＹ）を使用して特定の曲（「イマジン」）を聴く場合がある。このケースにおいては、ソーシャルネットワーキング・システム１６０は、そのユーザに対応するユーザ・ノード２０２と、その曲およびアプリケーションに対応するコンセプト・ノード２０４との間において、（図２に示されているような）「聴いた」エッジ２０６および「使用した」エッジを作成して、そのユーザがその曲を聴いてそのアプリケーションを使用したということを示すことができる。その上、ソーシャルネットワーキング・システム１６０は、その曲に対応するコンセプト・ノード２０４と、そのアプリケーションに対応するコンセプト・ノード２０４との間において、（図２に示されているような）「再生した」エッジ２０６を作成して、その特定の曲がその特定のアプリケーションによって再生されたということを示すことができる。このケースにおいては、「再生した」エッジ２０６は、外部アプリケーション（ＳＰＯＴＩＦＹ）によって外部オーディオ・ファイル（「イマジン」という曲）に関して実行されたアクションに対応する。本開示は、ユーザ・ノード２０２とコンセプト・ノード２０４とをつなげる特定の属性を伴う特定のエッジ２０６について記述しているが、本開示は、ユーザ・ノード２０２とコンセプト・ノード２０４とをつなげる任意の適切な属性を伴う任意の適切なエッジ２０６を想定している。その上、本開示は、単一の関係を表すユーザ・ノード２０２とコンセプト・ノード２０４との間におけるエッジについて記述しているが、本開示は、１つまたは複数の関係を表すユーザ・ノード２０２とコンセプト・ノード２０４との間におけるエッジを想定している。限定ではなく、例として、エッジ２０６は、ユーザが特定のコンセプトに対して「いいね！」を表明しているということ、およびその特定のコンセプトを使用したということの両方を表すことができる。あるいは、別のエッジ２０６は、（図２において、ユーザ「Ｅ」を表すユーザ・ノード２０２と、「ＳＰＯＴＩＦＹ」を表すコンセプト・ノード２０４との間において示されているような）ユーザ・ノード２０２とコンセプト・ノード２０４との間におけるそれぞれのタイプの関係（または、単一の関係が複数集まったもの）を表すことができる。
【００２６】
特定の実施形態においては、ソーシャルネットワーキング・システム１６０は、ソーシャルグラフ２００内でユーザ・ノード２０２とコンセプト・ノード２０４との間においてエッジ２０６を作成することができる。限定ではなく、例として、（たとえば、ユーザのクライアント・システム１３０によってホストされているウェブ・ブラウザまたは専用のアプリケーションを使用することなどによって）コンセプトプロフィール・ページを閲覧しているユーザは、「いいね！」アイコンをクリックまたは選択することにより、コンセプト・ノード２０４によって表されているコンセプトを自分が気に入っているということを示すことができ、その「いいね！」アイコンをクリックまたは選択することは、ユーザのクライアント・システム１３０に、そのコンセプトプロフィール・ページに関連付けられているそのコンセプトをそのユーザが気に入っているということを示すメッセージをソーシャルネットワーキング・システム１６０へ送信させることができる。そのメッセージに応答して、ソーシャルネットワーキング・システム１６０は、そのユーザとコンセプト・ノード２０４との間における「いいね！」エッジ２０６によって示されているように、そのユーザに関連付けられているユーザ・ノード２０２とコンセプト・ノード２０４との間においてエッジ２０６を作成することができる。特定の実施形態においては、ソーシャルネットワーキング・システム１６０は、エッジ２０６を１つまたは複数のデータ・ストア内に格納することができる。特定の実施形態においては、エッジ２０６は、特定のユーザ・アクションに応答してソーシャルネットワーキング・システム１６０によって自動的に形成されることが可能である。限定ではなく、例として、第１のユーザが、画像をアップロードすること、映画を観ること、または曲を聴くことを行った場合には、エッジ２０６は、第１のユーザに対応するユーザ・ノード２０２と、それらのコンセプトに対応するコンセプト・ノード２０４との間において形成されることが可能である。本開示は、特定の様式で特定のエッジ２０６を形成することについて記述しているが、本開示は、任意の適切な様式で任意の適切なエッジ２０６を形成することを想定している。
【００２７】
特定の実施形態においては、１つまたは複数の画像（たとえば、クライアント・システム１３０に格納されたもの）をユーザがソーシャルネットワーキング・システム１６０にアップロードすることができる。例として、ユーザは、クライアント・システム１３０に格納された画像をソーシャルネットワーキング・システム１６０に手動でアップロードすることができる。別の例として、クライアント・システム１３０は、クライアント・システム１３０に格納された画像を、（たとえば、ユーザのプライバシー設定に応じて）画像同期を介してソーシャルネットワーキング・システム１６０に自動的にアップロードできる。特定の実施形態においては、クライアント・システム１３０のアプリケーションまたはオペレーティング・システム（ＯＳ）が、画像をソーシャルネットワーキング１６０にアップロードすることができる。ソーシャルネットワーキング・システム１６０は、サードパーティ・システム１７０、共有アーカイブまたは共有スペース、または任意の他の画像ソースから画像を受信することも可能である。ユーザは、自分のプライバシー設定に少なくとも部分的に基づいて、１つまたは複数の画像をプライベート指定（あるいはアクセス規制）するか、または１つまたは複数の画像へのアクセスをソーシャルネットワーキング・システム１６０の特定の他のユーザに許可することができる。
【００２８】
特定の実施形態においては、ソーシャルネットワーキング・システム１６０にアップロードする画像は、関連付けられたメタデータを含んでいてもよい。画像に関連付けられたメタデータは（たとえば、画像ソースであるカメラによって）自動生成することが可能である。自動生成され、画像に関連付けられたメタデータは、たとえば、画像に関する情報を含み、ＥＸＩＦ（交換可能な画像ファイル形式（Ｅｘｃｈａｎｇｅａｂｌｅ  Ｉｍａｇｅ  Ｆｉｌｅ  Ｆｏｒｍａｔ））データとして格納することができる。メタデータは、画像の撮影日および時間、撮影場所（たとえばＧＰＳ座標）、画像に適用した圧縮、カメラのモデル、カメラ設定（たとえば、解像度、色情報、フラッシュの使用、露出、シャッタ速度、口径、焦点距離、またはＩＳＯ速度）といった情報を含むことができる。特定の実施形態においては、画像に関連付けられたメタデータを自動生成し、ソーシャルネットワーキング・システム１６０にアップロードする前に手動で編集することができる（たとえば、クライアント・システム１３０上の写真アプリケーションで編集する）。別の実施形態においては、画像に関連付けられたメタデータを（たとえば、カメラ使用者、またはクライアント・システム１３０のユーザにより）手動で生成し、このメタデータをソーシャルネットワーキング・システムにアップロードすることができる。
【００２９】
特定の実施形態においては、ソーシャルネットワーキング・システム１６０にアップロードされた画像を、ソーシャルネットワーキング・システム上のメタデータに関連付けることができる。メタデータは、ソーシャルネットワーキング・システムの１人または複数のユーザによって手動で生成することができる。例として、画像が、ソーシャルネットワーキング・システムの１人または複数のユーザを含んだ写真である場合には、写真中のユーザの名前または識別子を表すメタデータをその写真に「タグ付け」またはラベル付けすることができる（たとえば、アップロードを実行するユーザ、または許可を得たソーシャルネットワーキング・システムの任意のユーザが行う）。別の例として、画像が、特定の場所または時間にて撮影された写真である場合には、この写真に、場所を含むメタデータ（特定の実施形態においては、ソーシャルグラフ内のコンセプト・ノードに対応したもの）、または日付もしくは時間の情報もタグ付けすることができる。同様に、画像が、建物、ロゴまたはブランド、あるいは、ソーシャルグラフ内のコンセプト・ノードに関連付けられた任意の他のコンセプトを含んだ写真である場合には、この写真に、対応するコンセプト・ノードの識別子を含んだメタデータをタグ付けすることができる。特定の実施形態においては、画像に関連付けられたメタデータは、ソーシャルネットワーキング・システム１６０によって自動生成することができる。例として、ソーシャルネットワーキング・システム１６０は、画像をアップロードしたユーザの識別子を含むメタデータを画像に自動的にタグ付けすることができる。別の例として、ソーシャルネットワーキング・システムは、アップロードされた画像の１つまたは複数の顔を自動的に検出することができる。これは、たとえば、顔認識アルゴリズムを使用して行うことができる。ソーシャルネットワーキング・システム１６０は、アップロードされた画像内で検出された顔に基づいて、ソーシャルネットワーキング・システムの１人または複数のユーザが画像に写っていると自動的に特定し、さらに、画像に、画像に写っているユーザの識別子を含んだメタデータを（ユーザ個人のプライバシー設定に応じて）タグ付けすることができる。別の例として、ソーシャルネットワーキング・システムは、アップロードされた画像中の、ソーシャルグラフ内のコンセプト・ノードに関連付けられた場所、建物、ロゴ、ブランド、または任意の他のコンセプトを（たとえば、コンピュータ・ビジョン・アルゴリズムを使用して）自動的に検出できる。ソーシャルネットワーキング・システムは、画像に、自動的に検出されたアイテムに対応したソーシャルグラフ内のこれらのコンセプト・ノードの識別子を含むメタデータを自動的にタグ付けできる。
【００３０】
特定の実施形態においては、ソーシャルネットワーキング・システム１６０のソーシャルグラフから特定された情報を画像に関連付けることができる。ソーシャルグラフから特定された情報は、たとえば、ソーシャルグラフ内のノードで示されたユーザまたはコンセプトに関連付けられたデータ、または、ソーシャルグラフ内のエッジが示す関係もしくはアクションに関連付けられたデータを含んでもよい。例として、上述したように、写真は、その写真が７月４日にゴールデンゲート・ブリッジで撮影されたことを示す日付およびＧＰＳメタデータ（たとえば、写真を撮影したカメラで生成されたもの）を含んでもよい。写真は、ソーシャルネットワーキング・システムのユーザで、写真に写っている人物として（たとえば、ソーシャルネットワーキング・システムの別のユーザにより）タグ付けされているユーザ１の識別子を含んだメタデータをさらに含んでいてもよい。写真は、ソーシャルネットワーキング・システムのユーザで、写真に写っている人物としてタグ付けされている（たとえば、ソーシャルネットワーキング・システム１６０によって自動的に生成されている）ユーザ２の識別子を含むメタデータをさらに含んでいてもよい。ソーシャルグラフから特定される情報は、ソーシャルネットワーキング・システム１６０上でユーザ１およびユーザ２の両者が「ゴールデンゲート・ブリッジにおける７月４日（米国独立記念日）の集い」と題されたイベントの招待状を受け取ったという事実を含んでいてもよい。別の例として、ユーザ１とユーザ２の両者がこのイベントへの招待状を受け取っていなくても、ソーシャルグラフから特定された情報は、ユーザ１およびユーザ２の複数の友達がこのイベントへの招待状を受け取ったという事実を含むことができる。写真は、メタデータと、ソーシャルグラフから入手した情報（たとえば、ユーザ１とユーザ２の両者がイベントへの招待状を受け取ったか、あるいは、彼らの友達が同イベントへの招待状を受け取ったといういずれかの事実）との組合せに基づいたソーシャル・コンテキストを有することができる。この例では、写真は、「ゴールデンゲート・ブリッジにおける７月４日（米国独立記念日）の集い」のイベントに関連付けされているソーシャル・コンテキスト（たとえば、このイベントで写真が撮影された）を有することができる。ソーシャル・コンテキストは、イベント、特定のユーザもしくは一組のユーザ、場所、時間、または任意のその他適切なタイプとの関連を含んでいてもよい。特定の実施形態においては、画像のソーシャル・コンテキストは、画像に関連付けられたメタデータに基づいて特定されることができる。別の実施形態においては、画像のソーシャル・コンテキストは、ソーシャルグラフから特定された情報に基づいて特定されることができる。さらに別の実施形態においては、画像のソーシャル・コンテキストは、画像に関連付けられたメタデータとソーシャルグラフから特定された情報との組合せによって特定されることができる。
【００３１】
画像のソーシャル・コンテキストと特定ユーザとの関連性は、ソーシャルネットワーキング・システムのソーシャルグラフから収集した情報に基づいて特定することができる。限定ではなく、例として、（たとえば、ユーザが他人のプロフィールを閲覧中に）ユーザに表示できる画像には、以下のソーシャル・コンテキストを有する画像が含まれてもよい。ユーザに関連付けられたかまたはユーザを表すソーシャル・コンテキスト、ソーシャルグラフ内のユーザにつながっている別ユーザに関連付けられたかまたは別ユーザを示すソーシャル・コンテキスト（これは、特定の隔たり次数内でユーザにつながっている別ユーザ、特定のグループまたは組織内の別ユーザ、ユーザと特定の興味または親近性を共有する別ユーザ、ユーザと類似のプロフィールを有するかまたは対象の人口統計学的プロフィールを有する別ユーザに限られる）、ユーザがフォローしている特定の別ユーザまたはコンセプトに関連付けられたかまたは特定の別ユーザまたはコンセプトを示すソーシャル・コンテキスト、ユーザが参加したイベントに関連付けられたかまたはこのイベントを示すソーシャル・コンテキスト、ソーシャルグラフ内でユーザとつながっている人物が招待されたかもしくは参加したイベントに関連付けられたかまたはこのイベントを示すソーシャル・コンテキスト、ユーザがよく訪れる場所またはビジネスに関連付けられたかまたはユーザがよく訪れる場所またはビジネスを示すソーシャル・コンテキスト。ソーシャルネットワーキング・システムは、画像の１つまたは複数のソーシャル・コンテキストとユーザとの関連性を、つながり値に少なくとも部分的に基づいて特定できる。限定ではなく、例として、画像中の、ソーシャルグラフ内でユーザとつながっている多数のユーザは、つながり値に影響し得る。さらに、描写された別ユーザとユーザとの間の隔たり次数もつながり値に影響し得る。別の例として、ユーザと、画像中に示された別ユーザとの間のつながりのタイプはつながり値に影響し得る。限定ではなく、例として、「友情」または「家族」タイプのつながりは、「仕事の同僚」タイプのつながりよりも高いつながり値に関連付けられる。ソーシャルネットワーキング・システムは、画像の１つまたは複数のソーシャル・コンテキストとユーザとの関連性を、興味値に少なくとも部分的に基づいて特定することもできる。興味値は、画像のソーシャル・コンテキストがユーザの興味に関連付けられた１つまたは複数のカテゴリと一致するかどうかに少なくとも部分的に基づいてもよい。興味値は、たとえば、画像中に描写された人、場所、オブジェクト、アクションが、ユーザの興味に関連付けられた１つまたは複数のカテゴリと一致するかどうかに少なくとも部分的に基づいてもよい。関連性スコアの特定については、２０１０年１２月２２日に出願された米国特許出願第１２／９７６，８５９号「Ｔｉｍｉｎｇ  ｆｏｒ  Ｐｒｏｖｉｄｉｎｇ  Ｒｅｌｅｖａｎｔ  Ｎｏｔｉｆｉｃａｔｉｏｎｓ  ｆｏｒ  ａ  Ｕｓｅｒ  Ｂａｓｅｄ  ｏｎ  Ｕｓｅｒ  Ｉｎｔｅｒａｃｔｉｏｎ  ｗｉｔｈ  Ｎｏｔｉｆｉｃａｔｉｏｎｓ」にてさらに詳細に説明されており、上記出願は参照によって本明細書に援用されている。
【００３２】
特定の実施形態においては、ソーシャルネットワーキング・システム１６０上の第１ユーザに関連付けられた一組の画像は、ソーシャルネットワーキング・システムの別のユーザも閲覧することができる。たとえば、第２ユーザが第１ユーザのユーザ・プロフィールを訪れた場合、第１ユーザに関連付けられた一組の画像を、第２ユーザが閲覧できるようにすることができる（ただしこれは、たとえば、第１ユーザの許可設定またはプライバシー設定と、第１ユーザおよび第２ユーザの間の関係とに応じる）。ソーシャルネットワーキング・システムのユーザへの画像の提示については、２０１２年１２月１４日に出願された米国特許出願第１３／７１５，６３６号「Ｒｅｎｄｅｒｉｎｇ  Ｃｏｎｔｉｇｕｏｕｓ  Ｉｍａｇｅ  Ｅｌｅｍｅｎｔｓ」においてさらに詳細に説明されており、上記出願は参照によって本明細書に援用されている。特定の実施形態においては、第１ユーザに関連付けられた画像を一連のアルバムとして第２ユーザに提示することができる。例として、第２ユーザは、第１ユーザのユーザ・プロフィールに関連付けられた、一連のアルバムを含んでいるウェブページを見ることができる。第２ユーザは、ウェブページの一番下に、たとえば第１ユーザに関連付けられた追加のアルバム、ソーシャルネットワーキング・システムの別のユーザに関連付けられたアルバム、第２ユーザ自身のユーザ・プロフィールに関連付けられたアルバム、といった別のアルバムをブラウジングするためのオプションを見ることができる。第２ユーザに提示されるアルバムは、たとえば、アルバムのタイトル、アルバムの簡単な説明、アルバムまたはその写真に関連付けられた任意の他の情報といった、追加の情報を含んでいてもよい。特定の実施形態においては、第２ユーザは、（たとえばマウスによって）アルバム上を「ホバー（hover）」すると、アルバムに「いいね！」の表明、またはコメントができるようになる。さらに、特定の実施形態においては、第２ユーザがアルバム上をホバーすると、第２ユーザがアルバム上をホバーしている間、アルバム内の第１Ｎ枚（たとえば５枚）の写真を、第２ユーザに提示されたアルバムの代表的な画像として自動的に繰り返し表示することができる。別のユーザがアルバム上をホバーした場合には、第１ユーザは、自動繰り返し表示中にアルバムのどの写真が提示されるかを特定することができる。
【００３３】
特定の実施形態においては、ユーザに表示されるべく提示された１つまたは複数の画像を、１つまたは複数のディスプレイ・フィルタでフィルタすることができる。このディスプレイ・フィルタは、ユーザへの、１つまたは複数の画像の１つまたは複数のソーシャル・コンテキストの関連性に基づいて（たとえば、ソーシャルネットワーキング・システム１６０によって自動的に）生成できる。例として、ソーシャルネットワーキング・システム上の第１ユーザの画像を第２ユーザが閲覧しており、第１ユーザの複数の画像が、第２ユーザも参加したパーティーでの第２ユーザと仲の良い友達に関連付けられた、またはこの友達を示すソーシャル・コンテキストを有する場合には、このソーシャル・コンテキストは第２ユーザと非常に高い関連性を有すると特定される。この関連性の特定に基づき、このパーティーに関連付けられたソーシャル・コンテキストを有する画像のディスプレイ・フィルタを生成し、このディスプレイ・フィルタを第２ユーザが利用できるようにすることが可能である。さらに、１人または複数の第２ユーザと仲の良い友達に関連付けられた１つまたは複数のソーシャル・コンテキストを有する画像の１つまたは複数の追加のディスプレイ・フィルタを生成し、この１つまたは複数の追加のディスプレイ・フィルタを第２ユーザが利用できるようにすることも可能である。これにより、第２ユーザは、このパーティーに関連付けられた、または第２ユーザの特定の仲の良い友達に関連付けられた第１ユーザの画像のみを見るために、ディスプレイ・フィルタを（たとえば、ドロップダウンメニュー、またはその他の選択可能なウェブページ特徴により）選択することができる。別の例として、第１ユーザのいくつかの画像が、ソーシャルグラフ上の第２ユーザの４次のつながりに関連した、またはこのつながりを示すソーシャル・コンテキストを有する場合には、これらの画像のソーシャル・コンテキストは第２ユーザと高い関連性を持たないと特定できる。この関連性（たとえば関連性の欠如）の特定に基づいて、このソーシャル・コンテキストにはディスプレイ・フィルタが作成されない。したがって、ソーシャルネットワーキング・システム内の各画像は、１つまたは複数の関連付けられたソーシャル・コンテキストを有することができる。これらソーシャル・コンテキストの各々の関連性は、ソーシャルネットワーキング・システムの特定のユーザに関連して特定できる。これらソーシャル・コンテキストの各々の関連性に基づいて、１つまたは複数のソーシャル・コンテキストに関連付けられた１つまたは複数のディスプレイ・フィルタを生成することが可能である。ユーザは、ソーシャル・コンテキストに関連付けられたディスプレイ・フィルタを選択することにより、選択されたソーシャル・コンテキストを有する画像のみを閲覧できるようになる。
【００３４】
図３は、ソーシャル・コンテキストに基づいて画像をフィルタする方法３００の例を示す。この方法は工程３１０から開始できるが、ここでは、ユーザに表示される、１つまたは複数の画像の各々のソーシャル・コンテキストが特定される。工程３２０では、各ソーシャル・コンテキストとユーザとの関連性が特定される。工程３３０では、各画像のソーシャル・コンテキストとユーザとの関連性に少なくとも部分的に基づいて、画像のうちの１つまたは複数がユーザへのディスプレイ用に提供される。特定の実施形態は、図３の方法の１つまたは複数の工程を必要に応じて繰り返すことができる。本開示は、図３の方法の特定の工程を、特定の順序で追うものとして記述し、示しているが、本開示は、任意の適切な順序を追う図３の方法の任意の適切な工程を想定している。さらに、本開示は図３の方法の特定の工程を実施する特定のコンポーネント、デバイス、システムを記述し、示しているが、本開示は、図３の方法の任意の適切な工程を実施する任意の適切なコンポーネント、デバイス、システムの任意の適切な組合せを想定している。
【００３５】
図４は、例示的なコンピュータ・システム４００を示している。特定の実施形態においては、１つまたは複数のコンピュータ・システム４００が、本明細書において記述されているまたは示されている１つまたは複数の方法の１つまたは複数の工程を実行する。特定の実施形態においては、１つまたは複数のコンピュータ・システム４００が、本明細書において記述されているまたは示されている機能を提供する。特定の実施形態においては、１つまたは複数のコンピュータ・システム４００上で稼働するソフトウェアが、本明細書において記述されているもしくは示されている１つもしくは複数の方法の１つもしくは複数の工程を実行し、または本明細書において記述されているもしくは示されている機能を提供する。特定の実施形態は、１つまたは複数のコンピュータ・システム４００の１つまたは複数の部分を含む。本明細書においては、コンピュータ・システムへの言及は、適切な場合には、コンピューティング・デバイスを包含することができる。その上、コンピュータ・システムへの言及は、適切な場合には、１つまたは複数のコンピュータ・システムを包含することができる。
【００３６】
本開示は、任意の適切な数のコンピュータ・システム４００を想定している。本開示は、任意の適切な物理的な形態を取るコンピュータ・システム４００を想定している。限定ではなく、例として、コンピュータ・システム４００は、組み込みコンピュータ・システム、システムオンチップ（ＳＯＣ）、シングルボード・コンピュータ・システム（ＳＢＣ）（たとえば、コンピュータオンモジュール（ＣＯＭ）もしくはシステムオンモジュール（ＳＯＭ）など）、デスクトップ・コンピュータ・システム、ラップトップもしくはノートブック・コンピュータ・システム、インタラクティブ・キオスク、メインフレーム、コンピュータ・システムのメッシュ、モバイル電話、携帯情報端末（ＰＤＡ）、サーバ、タブレット・コンピュータ・システム、またはこれらのうちの複数の組合せであることが可能である。適切な場合には、コンピュータ・システム４００は、１つもしくは複数のコンピュータ・システム４００を含むこと、単一型もしくは分散型であること、複数のロケーションにわたること、複数のマシンにわたること、複数のデータセンターにわたること、または、クラウド（１つもしくは複数のネットワーク内の１つもしくは複数のクラウド・コンポーネントを含むことができる）内に常駐することが可能である。適切な場合には、１つまたは複数のコンピュータ・システム４００は、本明細書において記述されているまたは示されている１つまたは複数の方法の１つまたは複数の工程を、実質的な空間上のまたは時間上の制限を伴わずに実行することができる。限定ではなく、例として、１つまたは複数のコンピュータ・システム４００は、本明細書において記述されているまたは示されている１つまたは複数の方法の１つまたは複数の工程をリアル・タイムで、またはバッチ・モードで実行することができる。１つまたは複数のコンピュータ・システム４００は、適切な場合には、本明細書において記述されているまたは示されている１つまたは複数の方法の１つまたは複数の工程を別々の時点で、または別々のロケーションで実行することができる。
【００３７】
特定の実施形態においては、コンピュータ・システム４００は、プロセッサ４０２、メモリ４０４、ストレージ４０６、入力／出力（Ｉ／Ｏ）インタフェース４０８、通信インタフェース４１０、およびバス４１２を含む。本開示は、特定の数の特定のコンポーネントを特定の構成で有する特定のコンピュータ・システムについて記述し、示しているが、本開示は、任意の適切な数の任意の適切なコンポーネントを任意の適切な構成で有する任意の適切なコンピュータ・システムを想定している。
【００３８】
特定の実施形態においては、プロセッサ４０２は、コンピュータ・プログラムを構成している命令などの命令を実行するためのハードウェアを含む。限定ではなく、例として、命令を実行するために、プロセッサ４０２は、内部レジスタ、内部キャッシュ、メモリ４０４、またはストレージ４０６から命令を取り出し（またはフェッチし）、それらの命令をデコードして実行し、次いで、１つまたは複数の結果を内部レジスタ、内部キャッシュ、メモリ４０４、またはストレージ４０６に書き込むことができる。特定の実施形態においては、プロセッサ４０２は、データ、命令、またはアドレスのための１つまたは複数の内部キャッシュを含むことができる。本開示は、適切な場合には、任意の適切な数の任意の適切な内部キャッシュを含むプロセッサ４０２を想定している。限定ではなく、例として、プロセッサ４０２は、１つまたは複数の命令キャッシュ、１つまたは複数のデータ・キャッシュ、および１つまたは複数の変換ルックアサイド・バッファ（ＴＬＢ）を含むことができる。命令キャッシュ内の命令は、メモリ４０４またはストレージ４０６内の命令のコピーであることが可能であり、命令キャッシュは、プロセッサ４０２によるそれらの命令の取り出しをスピードアップすることができる。データ・キャッシュ内のデータは、プロセッサ４０２において実行される命令が機能する際に基づくメモリ４０４もしくはストレージ４０６内のデータのコピー、プロセッサ４０２において実行される後続の命令によるアクセスのための、もしくはメモリ４０４もしくはストレージ４０６への書き込みのためのプロセッサ４０２において実行された以前の命令の結果、またはその他の適切なデータであることが可能である。データ・キャッシュは、プロセッサ４０２による読み取りオペレーションまたは書き込みオペレーションをスピードアップすることができる。ＴＬＢは、プロセッサ４０２のための仮想アドレス変換をスピードアップすることができる。特定の実施形態においては、プロセッサ４０２は、データ、命令、またはアドレスのための１つまたは複数の内部レジスタを含むことができる。本開示は、適切な場合には、任意の適切な数の任意の適切な内部レジスタを含むプロセッサ４０２を想定している。適切な場合には、プロセッサ４０２は、１つまたは複数の演算ロジック・ユニット（ＡＬＵ）を含むこと、マルチコア・プロセッサであること、または１つもしくは複数のプロセッサ４０２を含むことが可能である。本開示は、特定のプロセッサについて記述し、示しているが、本開示は、任意の適切なプロセッサを想定している。
【００３９】
特定の実施形態においては、メモリ４０４は、プロセッサ４０２が実行するための命令、またはプロセッサ４０２が機能する際に基づくデータを格納するためのメイン・メモリを含む。限定ではなく、例として、コンピュータ・システム４００は、命令をストレージ４０６または別のソース（たとえば、別のコンピュータ・システム４００など）からメモリ４０４にロードすることができる。次いでプロセッサ４０２は、命令をメモリ４０４から内部レジスタまたは内部キャッシュにロードすることができる。命令を実行するために、プロセッサ４０２は、命令を内部レジスタまたは内部キャッシュから取り出し、それらの命令をデコードすることができる。命令の実行中または実行後に、プロセッサ４０２は、１つまたは複数の結果（それらは、中間の結果または最終的な結果である場合がある）を内部レジスタまたは内部キャッシュに書き込むことができる。次いでプロセッサ４０２は、それらの結果のうちの１つまたは複数をメモリ４０４に書き込むことができる。特定の実施形態においては、プロセッサ４０２は、（ストレージ４０６またはその他の場所ではなく）１つもしくは複数の内部レジスタもしくは内部キャッシュ内の、またはメモリ４０４内の命令のみを実行し、（ストレージ４０６またはその他の場所ではなく）１つもしくは複数の内部レジスタもしくは内部キャッシュ内の、またはメモリ４０４内のデータ上でのみ機能する。１つまたは複数のメモリ・バス（それらはそれぞれ、アドレス・バスおよびデータ・バスを含むことができる）は、プロセッサ４０２をメモリ４０４に結合することができる。バス４１２は、以降で記述されているような１つまたは複数のメモリ・バスを含むことができる。特定の実施形態においては、１つまたは複数のメモリ管理ユニット（ＭＭＵ）が、プロセッサ４０２とメモリ４０４との間に常駐し、プロセッサ４０２によって要求されるメモリ４０４へのアクセスを容易にする。特定の実施形態においては、メモリ４０４は、ランダム・アクセス・メモリ（ＲＡＭ）を含む。このＲＡＭは、適切な場合には、揮発性メモリであることが可能である。適切な場合には、このＲＡＭは、ダイナミックＲＡＭ（ＤＲＡＭ）またはスタティックＲＡＭ（ＳＲＡＭ）であることが可能である。その上、適切な場合には、このＲＡＭは、シングルポートＲＡＭまたはマルチポートＲＡＭであることが可能である。本開示は、任意の適切なＲＡＭを想定している。メモリ４０４は、適切な場合には、１つまたは複数のメモリ４０４を含むことができる。本開示は、特定のメモリについて記述し、示しているが、本開示は、任意の適切なメモリを想定している。
【００４０】
特定の実施形態においては、ストレージ４０６は、データまたは命令のためのマス・ストレージを含む。限定ではなく、例として、ストレージ４０６は、ハード・ディスク・ドライブ（ＨＤＤ）、フロッピー（登録商標）・ディスク・ドライブ、フラッシュ・メモリ、光ディスク、光磁気ディスク、磁気テープ、またはユニバーサル・シリアル・バス（ＵＳＢ）ドライブ、またはこれらのうちの複数の組合せを含むことができる。ストレージ４０６は、適切な場合には、取り外し可能なまたは取り外し不能な（すなわち、固定された）媒体を含むことができる。ストレージ４０６は、適切な場合には、コンピュータ・システム４００の内部または外部に存在することが可能である。特定の実施形態においては、ストレージ４０６は、不揮発性のソリッドステート・メモリである。特定の実施形態においては、ストレージ４０６は、読み取り専用メモリ（ＲＯＭ）を含む。適切な場合には、このＲＯＭは、マスクプログラムＲＯＭ、プログラマブルＲＯＭ（ＰＲＯＭ）、消去可能ＰＲＯＭ（ＥＰＲＯＭ）、電気的消去可能ＰＲＯＭ（ＥＥＰＲＯＭ）、電気的書替え可能ＲＯＭ（ＥＡＲＯＭ）、またはフラッシュ・メモリ、またはこれらのうちの複数の組合せであることが可能である。本開示は、任意の適切な物理的な形態を取るマス・ストレージ４０６を想定している。ストレージ４０６は、適切な場合には、プロセッサ４０２とストレージ４０６との間における通信を容易にする１つまたは複数のストレージ・コントロール・ユニットを含むことができる。適切な場合には、ストレージ４０６は、１つまたは複数のストレージ４０６を含むことができる。本開示は、特定のストレージについて記述し、示しているが、本開示は、任意の適切なストレージを想定している。
【００４１】
特定の実施形態においては、Ｉ／Ｏインタフェース４０８は、コンピュータ・システム４００と１つまたは複数のＩ／Ｏデバイスとの間における通信のための１つまたは複数のインタフェースを提供するハードウェア、ソフトウェア、またはその両方を含む。コンピュータ・システム４００は、適切な場合には、これらのＩ／Ｏデバイスのうちの１つまたは複数を含むことができる。これらのＩ／Ｏデバイスのうちの１つまたは複数は、人とコンピュータ・システム４００との間における通信を可能にすることができる。限定ではなく、例として、Ｉ／Ｏデバイスは、キーボード、キーパッド、マイクロフォン、モニタ、マウス、プリンタ、スキャナ、スピーカ、スチル・カメラ、スタイラス、タブレット、タッチ・スクリーン、トラックボール、ビデオ・カメラ、別の適切なＩ／Ｏデバイス、またはこれらのうちの複数の組合せを含むことができる。Ｉ／Ｏデバイスは、１つまたは複数のセンサを含むことができる。本開示は、任意の適切なＩ／Ｏデバイス、およびそれらのＩ／Ｏデバイスのための任意の適切なＩ／Ｏインタフェース４０８を想定している。適切な場合には、Ｉ／Ｏインタフェース４０８は、プロセッサ４０２がこれらのＩ／Ｏデバイスのうちの１つまたは複数を駆動することを可能にする１つまたは複数のデバイス・ドライバまたはソフトウェア・ドライバを含むことができる。Ｉ／Ｏインタフェース４０８は、適切な場合には、１つまたは複数のＩ／Ｏインタフェース４０８を含むことができる。本開示は、特定のＩ／Ｏインタフェースについて記述し、示しているが、本開示は、任意の適切なＩ／Ｏインタフェースを想定している。
【００４２】
特定の実施形態においては、通信インタフェース４１０は、コンピュータ・システム４００と、１つもしくは複数のその他のコンピュータ・システム４００または１つもしくは複数のネットワークとの間における通信（たとえば、パケットベースの通信など）のための１つまたは複数のインタフェースを提供するハードウェア、ソフトウェア、またはその両方を含む。限定ではなく、例として、通信インタフェース４１０は、イーサネット（登録商標）もしくはその他の有線ベースのネットワークと通信するためのネットワーク・インタフェース・コントローラ（ＮＩＣ）もしくはネットワーク・アダプタ、またはＷＩ−ＦＩネットワークなどのワイヤレス・ネットワークと通信するためのワイヤレスＮＩＣ（ＷＮＩＣ）もしくはワイヤレス・アダプタを含むことができる。本開示は、任意の適切なネットワーク、およびそのネットワークのための任意の適切な通信インタフェース４１０を想定している。限定ではなく、例として、コンピュータ・システム４００は、アド・ホック・ネットワーク、パーソナル・エリア・ネットワーク（ＰＡＮ）、ローカル・エリア・ネットワーク（ＬＡＮ）、ワイド・エリア・ネットワーク（ＷＡＮ）、メトロポリタン・エリア・ネットワーク（ＭＡＮ）、またはインターネットの１つまたは複数の部分、またはこれらのうちの複数の組合せと通信することができる。これらのネットワークのうちの１つまたは複数の１つまたは複数の部分は、有線またはワイヤレスであることが可能である。例として、コンピュータ・システム４００は、ワイヤレスＰＡＮ（ＷＰＡＮ）（たとえば、ブルートゥースＷＰＡＮなど）、ＷＩ−ＦＩネットワーク、ＷＩ−ＭＡＸネットワーク、セルラー電話ネットワーク（たとえば、グローバル・システム・フォー・モバイル・コミュニケーションズ（ＧＳＭ（登録商標））ネットワークなど）、またはその他の適切なワイヤレス・ネットワーク、またはこれらのうちの複数の組合せと通信することができる。コンピュータ・システム４００は、適切な場合には、これらのネットワークのうちの任意のネットワークのための任意の適切な通信インタフェース４１０を含むことができる。通信インタフェース４１０は、適切な場合には、１つまたは複数の通信インタフェース４１０を含むことができる。本開示は、特定の通信インタフェースについて記述し、示しているが、本開示は、任意の適切な通信インタフェースを想定している。
【００４３】
特定の実施形態においては、バス４１２は、コンピュータ・システム４００のコンポーネント同士を互いに結合するハードウェア、ソフトウェア、またはその両方を含む。限定ではなく、例として、バス４１２は、アクセラレイティッド・グラフィックス・ポート（ＡＧＰ）もしくはその他のグラフィックス・バス、エンハンスト・インダストリー・スタンダード・アーキテクチャ（ＥＩＳＡ）バス、フロントサイド・バス（ＦＳＢ）、ハイパートランスポート（ＨＴ）インターコネクト、インダストリー・スタンダード・アーキテクチャ（ＩＳＡ）バス、インフィニバンド・インターコネクト、ローピンカウント（ＬＰＣ）バス、メモリ・バス、マイクロ・チャネル・アーキテクチャ（ＭＣＡ）バス、ペリフェラル・コンポーネント・インターコネクト（ＰＣＩ）バス、ＰＣＩエクスプレス（ＰＣＩｅ）バス、シリアル・アドバンスト・テクノロジー・アタッチメント（ＳＡＴＡ）バス、ビデオ・エレクトロニクス・スタンダーズ・アソシエーション・ローカル（ＶＬＢ）バス、または別の適切なバス、またはこれらのうちの複数の組合せを含むことができる。バス４１２は、適切な場合には、１つまたは複数のバス４１２を含むことができる。本開示は、特定のバスについて記述し、示しているが、本開示は、任意の適切なバスまたはインターコネクトを想定している。
【００４４】
本明細書においては、１つまたは複数の非一時的なコンピュータ可読記憶媒体は、適切な場合には、１つもしくは複数の半導体ベースのもしくはその他の集積回路（ＩＣ）（たとえば、フィールドプログラマブル・ゲート・アレイ（ＦＰＧＡ）もしくは特定用途向け集積回路（ＡＳＩＣ）など）、ハード・ディスク・ドライブ（ＨＤＤ）、ハイブリッド・ハード・ドライブ（ＨＨＤ）、光ディスク、光ディスク・ドライブ（ＯＤＤ）、光磁気ディスク、光磁気ドライブ、フロッピー（登録商標）・ディスケット、フロッピー（登録商標）・ディスク・ドライブ（ＦＤＤ）、磁気テープ、ソリッドステート・ドライブ（ＳＳＤ）、ＲＡＭドライブ、セキュア・デジタル・カードもしくはドライブ、その他の任意の適切な非一時的なコンピュータ可読記憶媒体、またはこれらのうちの複数の組合せを含むことができる。非一時的なコンピュータ可読記憶媒体は、適切な場合には、揮発性、不揮発性、または揮発性と不揮発性の組合せであることが可能である。
【００４５】
本明細書においては、「または（もしくは）」は、包含的であり、排他的ではない（ただし、そうではないことが明示されている場合、または、そうではないことが文脈によって示されている場合は除く）。したがって、本明細書においては、「ＡまたはＢ」は、「Ａ、Ｂ、またはその両方」を意味する（ただし、そうではないことが明示されている場合、または、そうではないことが文脈によって示されている場合は除く）。その上、「および（ならびに）」は、包括的および個別的の両方である（ただし、そうではないことが明示されている場合、または、そうではないことが文脈によって示されている場合は除く）。したがって、本明細書においては、「ＡおよびＢ」は、「まとめて、または個別に、ＡおよびＢ」を意味する（ただし、そうではないことが明示されている場合、または、そうではないことが文脈によって示されている場合は除く）。
【００４６】
本開示の範囲は、当技術分野における標準的な技術者が理解するであろう、本明細書において記述されているまたは示されている例示的な実施形態に対するすべての変更、置換、変形、改変、および修正を包含する。本開示の範囲は、本明細書において記述されているまたは示されている例示的な実施形態に限定されない。その上、本開示は、本明細書におけるそれぞれの実施形態を、特定のコンポーネント、要素、機能、オペレーション、または工程を含むものとして記述し、示しているが、これらの実施形態のいずれも、当技術分野における標準的な技術者が理解するであろう、本明細書の任意の箇所において記述されているまたは示されているコンポーネント、要素、機能、オペレーション、または工程のうちの任意のものの任意の組合せまたは順列を含むことができる。さらに、特定の機能を実行するように適合されている、実行するようにアレンジされている、実行することができる、実行するように構成されている、実行することを可能にされている、実行するように機能できる、または実行するように機能する装置もしくはシステム、または装置もしくはシステムのコンポーネントへの添付の特許請求の範囲における言及は、その装置、システム、コンポーネント、またはその特定の機能が、アクティブ化されているか否か、オンにされているか否か、またはロック解除されているか否かを問わず、その装置、システム、またはコンポーネントが、そうするように適合されている、そうするようにアレンジされている、そうすることができる、そうするように構成されている、そうすることを可能にされている、そうするように機能できる、またはそうするように機能する限り、その装置、システム、コンポーネントを包含する。
【図１】
0006431144.tif 000002
【図２】
0006431144.tif 000003
【図３】
0006431144.tif 000004
【図４】
0006431144.tif 000005